(57)【特許請求の範囲】
【請求項１】
入力された交流電圧信号をその周波数が基本周波数よりも大きいときは位相を進めて出力するとともに周波数が基本周波数よりも小さいときは位相を遅らせて出力するフィルタ回路において、
該フィルタ回路は、ローパスフィルタ及びバンドパスフィルタが並列接続された並列回路を有してなり、
該並列回路が、入力された交流電圧信号をその周波数が基本周波数よりも大きいときは位相を進めて出力するとともに周波数が基本周波数よりも小さいときは位相を遅らせて出力し、且つ基本周波数前後での入力電圧周波数の利得が周波数によって大きく変化しないようにしたことを特徴とするフィルタ回路。
【請求項２】
前記ローパスフィルタの入力部に増幅回路が直列接続されたことを特徴とする請求項１記載のフィルタ回路。
【発明の詳細な説明】
【０００１】
【発明の属する技術分野】
本発明は、入力された交流電圧信号がその位相が変えられて出力されるフィルタ回路に関するものである。
【０００２】
【従来の技術】
従来、この種のフィルタ回路として、特開平７−１３１９３７号に開示されたものが存在する。このものは、図７に示すように、２つのバンドパスフィルタＡ，Ｂ  が並列接続されたものであって、入力された交流電圧信号をその周波数が基本周波数よりも大きいときは位相を遅れられせて出力するとともに周波数が基本周波数よりも小さいときは位相を進めて出力する。
【０００３】
【発明が解決しようとする課題】
上記した従来のフィルタ回路にあっては、図８に示すように、基準周波数である５０Ｈｚの前後では、入力電圧周波数の利得が周波数によって大きく変化してしまうという問題点があった。
【０００４】
本発明は、上記の点に着目してなされたもので、その目的とするところは、入力電圧周波数の利得が周波数によって変化しにくいフィルタ回路を提供することにある。
【０００５】
【課題を解決するための手段】
上記した課題を解決するために、請求項１記載のものは、入力された交流電圧信号をその周波数が基本周波数よりも大きいときは位相を進めて出力するとともに周波数が基本周波数よりも小さいときは位相を遅らせて出力するフィルタ回路において、  該フィルタ回路は、ローパスフィルタ及びバンドパスフィルタが並列接続された並列回路を有してなり、該並列回路が、入力された交流電圧信号をその周波数が基本周波数よりも大きいときは位相を進めて出力するとともに周波数が基本周波数よりも小さいときは位相を遅らせて出力し、且つ基本周波数前後での入力電圧周波数の利得が周波数によって大きく変化しないようにしたことを特徴とする。
【０００６】
また、請求項２記載のものは、請求項１記載のものにおいて、前記ローパスフィルタの入力部に増幅回路が直列接続された構成にしている。
【０００７】
【発明の実施の形態】
本発明の第１実施形態を図１乃至図５に基づいて以下に説明する。
【０００８】
このフィルタ回路１０は、図２に示すように、第１及び第２の交流電源２０，３０  から送電され得る連系点４０ａ  を有した送電システム４０において、その連系点４０ａ  における電圧の周波数と基準周波数との比較でもって第１の交流電源２０からの送電が停止して第２の交流電源３０のみが単独運転していることを検出するとともに、第２の交流電源３０からの送電を停止させる単独運転防止装置５０に用いられるものである。なお、この送電システム４０及び単独運転防止装置５０については、詳しく後述する。
【０００９】
このフィルタ回路１０は、図１に示すように、ローパスフィルタ１  及びバンドパスフィルタ２  が並列接続された並列回路３  、バンドパスフィルタ２  の入力部に直列接続された減衰回路４  からなる。
【００１０】
このフィルタ回路１０は、図３に示すように、このフィルタ回路１０への入力電圧の周波数が基準周波数である６０Ｈｚよりも大きいときは位相を進めて出力するとともに、入力電圧の周波数が基準周波数である６０Ｈｚよりも小さいときは位相を遅られせて出力する。また、このフィルタ回路１０は、周波数特性の１つである入力電圧周波数の利得が、図４に示すように、周波数によって従来例ほど大きく変化しないものとなっている。
【００１１】
次に、送電システム４０について説明する。この送電システム４０は、商用電源である第１の交流電源２０並びに太陽電池３０ａ  及びインバータ回路３０ｂ  からなる第２の交流電源３０を有している。この第２の交流電源３０は、その太陽電池３０ａ  の発電した直流がインバータ回路３０ｂ  を介して交流に変換されて後に給電される。
【００１２】
次に、単独運転防止装置５０について説明する。この単独運転防止装置５０は、フィルタ回路１０、系統連系保護部５０ａ  、インバータ制御部５０ｂ  からなる。フィルタ回路１０への入力電圧は、第２の交流電源３０のみが単独運転するのに起因して、その周波数が基準周波数である６０Ｈｚから外れているときは、フィルタ回路１０を通すことによって位相が変えられる。そして、この位相が変えられた入力電圧は、このフィルタ回路１０を通すことにより変えられた位相を有してインバータ回路３０ｂ  から交流電圧が給電されるよう、インバータ制御部５０ｂ  を介してインバータ回路３０ｂ  に帰還される。
【００１３】
こうして、位相が変えられた入力電圧は、インバータ制御部５０ｂ  を介してインバータ回路３０ｂ  に帰還されるのに伴って、図５に示すように、その周波数がプラス又はマイナスのいずれかに向かってシフトして発散するようになり、単独運転を検出することができる。そして、このようにして単独運転を検出すると、系統連系保護部５０ａ  が第２の交流電源３０からの給電を停止させる。
【００１４】
かかるフィルタ回路１０にあっては、ローパスフィルタ１  及びバンドパスフィルタ２  が並列接続された並列回路３  からなるから、基準周波数の前後でも、従来例のものほど、入力電圧周波数の利得が周波数によって変化しなくなる。
【００１５】
また、ローパスフィルタ１  及びバンドパスフィルタ２  が並列接続された並列回路３  からなるから、直流信号分も通過させることができる。
【００１６】
次に、本発明の第２実施形態を図６に基づいて説明する。なお、第１実施形態と実質的に同一の機能を有するものには同一の符号を付し、第１実施形態と異なるところのみ記す。第１実施形態では、バンドパスフィルタ２  の入力部に直列接続された減衰回路４  が設けられているのに対し、本実施形態では、ローパスフィルタ１  の入力部に直列接続された増幅回路５  が設けられた構成となっている。
【００１７】
かかるフィルタ回路にあっては、第１実施形態の効果に加えて、増幅回路５  は、オペアンプ及び抵抗の組合せにより、減衰回路４  よりも容易に構成することができるから、バンドパスフィルタ２  の入力部に直列接続された減衰回路４  が設けられた第１実施形態よりも、製作が容易になる。
【００１８】
【発明の効果】
請求項１記載の発明は、ローパスフィルタ１  及びバンドパスフィルタ２  が並列接続された並列回路３  からなるから、基準周波数の前後でも、従来例のものほど、入力電圧周波数の利得が周波数によって変化しなくなる。
【００１９】
請求項２記載の発明は、請求項１記載の発明の効果に加えて、増幅回路は、オペアンプ及び抵抗の組合せにより、減衰回路よりも容易に構成することができるから、バンドパス回路の入力部に直列接続された減衰回路を有してなるものよりも、製作が容易になる。
【図面の簡単な説明】
【図１】本発明の第１実施形態の構成図である。
【図２】同上のものが用いられた送電システムの構成図である。
【図３】同上のものの入力電圧周波数と位相との関係の説明図である。
【図４】同上のものの入力電圧周波数と利得との関係の説明図である。
【図５】同上のものが用いられた送電システムの単独運転時の電圧の周波数の変化を示す説明図である。
【図６】本発明の第２実施形態の構成図である。
【図７】従来例のものが用いられた送電システムの構成図である。
【図８】同上のものの入力電圧周波数と利得との関係の説明図である。
【符号の説明】
１    ローパスフィルタ
２    バンドパスフィルタ
３    並列回路
４    減衰回路
５    増幅回路
【図１】
0003582260.tif 000002
【図２】
0003582260.tif 000003
【図３】
0003582260.tif 000004
【図４】
0003582260.tif 000005
【図５】
0003582260.tif 000006
【図６】
0003582260.tif 000007
【図７】
0003582260.tif 000008
【図８】
0003582260.tif 000009